(57)【要約】【課題】除菌・消臭効果のムラを無くし、効率良く行なう洗濯乾燥機を提供すること。【解決手段】ドラム２内に供給する乾燥用空気を生成するヒートポンプユニット１２と、外槽３とヒートポンプユニット１２を連結して乾燥用空気を循環させる循環送風経路１１と、循環送風経路１１内に送風する送風ファン９と、循環送風経路１１内にオゾンを供給するオゾン発生手段１３と、循環送風経路１１内に微粒子水を供給するミスト発生手段１４と、一連の工程を逐次制御する制御手段とを備え、制御手段は、除菌・消臭工程において、送風ファン９、オゾン発生手段１３、およびミスト発生手段１４を適時に駆動させて、ドラム２内の衣類等に対してオゾンと微粒子水を放出する構成とすることにより、ドラム２内の湿度を上昇させた環境で、衣類、小物などに付着した雑菌、有機物に対してオゾンを作用させることができるので、除菌・消臭作用を効率よく確実に行うことができる。【選択図】図１
2015054156.tif 000002
【特許請求の範囲】
【請求項１】
有底円筒状に形成されたドラムと、前記ドラムを回転自在に内包する外槽と、前記ドラムを回転駆動するモータと、前記ドラム内に供給する乾燥用空気を生成するヒートポンプユニットと、前記外槽と前記ヒートポンプユニットを連結して乾燥用空気を循環させる循環送風経路と、前記循環送風経路内に送風する送風ファンと、前記循環送風経路内にオゾンを供給するオゾン発生手段と、前記循環送風経路内に微粒子水を供給するミスト発生手段と、前記モータ、前記ヒートポンプユニット、前記送風ファン、前記オゾン発生手段および前記ミスト発生手段などを制御し、洗い、すすぎ、脱水、乾燥あるいは除菌・消臭などの一連の工程を逐次制御する制御手段とを備え、前記制御手段は、除菌・消臭工程において、前記送風ファン、前記オゾン発生手段、および前記ミスト発生手段を適時に駆動させて、前記ドラム内の衣類等に対してオゾンと微粒子水を放出するようにした洗濯乾燥機。
【請求項２】
制御手段は、除菌・消臭工程において、送風ファン、オゾン発生手段、ミスト発生手段、およびヒートポンプユニットを適時に駆動させることにより、ドラム内の衣類などを高温状態にして、前記ドラム内にオゾンと微粒子水を放出するようにした請求項１に記載の洗濯乾燥機。
【請求項３】
ミスト発生手段は、循環送風経路において、オゾン発生手段の下流側に配置するようにした請求項１または２に記載の洗濯乾燥機。
【発明の詳細な説明】
【技術分野】
【０００１】
本発明は、槽内にオゾンを供給することによって、槽内に収容された衣類や小物などの除菌・消臭を行なう洗濯乾燥機に関するものである。
【背景技術】
【０００２】
従来、この種の洗濯乾燥機は、衣類や布製品、革製品、玩具、あるいは小物などに付着した雑菌を除菌し、消臭するために、外槽と外槽内に回転可能に配設したドラム内に、オゾンを供給する構成が提案されている（例えば、特許文献１参照）。
【０００３】
図５は、特許文献１に記載された洗濯乾燥機の除菌・消臭コースのフローチャート、図６は、同除菌・消臭コースのシーケンスを示す図である。
【０００４】
図５、図６において、オゾン供給を行なう除菌・消臭コースであるエアウォッシュの動作がスタートすると、操作表示部(図示せず)のエアウォッシュキー（図示せず）が押されて指令信号が与えられたか否かの判別がされる（ステップＳ１）。エアウォッシュキーからの指令信号が与えられた時には、「ドラム回転」表示が点灯しているか否かの判別がされ（ステップＳ２）、点灯している時には当該「ドラム回転」の表示を消灯させ（ステップＳ３）、逆に、点灯していなければ当該「ドラム回転」の表示を点灯させる（ステップＳ４）。
【０００５】
そして、その後にスタート／一時停止キーが押されて、信号が入力されるのを待つ（ステップＳ５）。スタート／一時停止キーが押されると、「ドラム回転」表示が点灯しているか否かの判別を行ない（ステップＳ６）、「ドラム回転」表示が点灯していれば、モータを正転および逆転作動させて、ドラム１０３をゆっくりと正転および逆転させる（ステップＳ７）。
【０００６】
次いで、ブロア１２１がオンされ（ステップＳ８）、同時にヒータもオンされる（ステップＳ９）。ヒータは、ヒータＡ１２２ａおよびヒータＢ１２２ｂの二つを有するが、ヒータのオンによりヒータＡ１２２ａのみに通電されて、「弱」の加熱が行なわれる。また、オゾン発生装置１４７もオンされる（ステップＳ１０）。
【０００７】
これにより、ドラム１０３内の空気が乾燥経路(図示せず)を通って循環され、その空気がヒータＡ１２２ａで加熱され、さらにオゾン発生装置１４７で発生されるオゾンが混合されて、ドラム１０３内に供給される。よって、ドラム１０３内に収容された衣類の除菌および消臭を行なうことができる。
【０００８】
ステップＳ１１において、エアウォッシュ開始から５分が経過したことが判別されると、オゾン発生装置１４７がオフされ（ステップＳ１２）、その状態でさらに５分が経過するまで運転が継続される（ステップＳ１３）。つまり、オゾン発生装置１４７は、５分間隔で、通電状態と非通電状態とに切り換えられる。これにより、オゾンの量を適切な量に調整することができる。
【０００９】
次いで、ステップＳ１４において、エアウォッシュ運転を終了するか否かの判別がされ、例えば３０分が経過した時、ヒータＡ１２２ａがオフされる（ステップＳ１５）と共にブロア１２１がオフされて（ステップＳ１６）、エアウォッシュ運転が完了する。
【先行技術文献】
【特許文献】
【００１０】
【特許文献１】特開２００７−１９５８９６号公報
【発明の概要】
【発明が解決しようとする課題】
【００１１】
しかしながら、前記従来の構成では、除菌・消臭工程は、オゾン供給とヒータ加熱による温風供給のみを行なっているため、特に洗濯槽（ドラム）内が低湿度の場合は、オゾンの反応速度が遅くなり、対象物（菌及び有機物）との酸化反応が促進されず、それにより、除菌・消臭効果にムラが発生し、除菌・消臭作用の効率が悪いという課題があった。
【００１２】
本発明は、前記従来の課題を解決するもので、オゾン供給による対象物への除菌・消臭効果のムラを無くし、除菌・消臭作用を効率良く行うことができる。
【課題を解決するための手段】
【００１３】
前記従来の課題を解決するために、本発明の洗濯乾燥機は、有底円筒状に形成されたドラムと、前記ドラムを回転自在に内包する外槽と、前記ドラムを回転駆動するモータと、前記ドラム内に供給する乾燥用空気を生成するヒートポンプユニットと、前記外槽と前記ヒートポンプユニットを連結して乾燥用空気を循環させる循環送風経路と、前記循環送風経路内に送風する送風ファンと、前記循環送風経路内にオゾンを供給するオゾン発生手段と、前記循環送風経路内に微粒子水を供給するミスト発生手段と、前記モータ、前記ヒートポンプユニット、前記送風ファン、前記オゾン発生手段および前記ミスト発生手段などを制御し、洗い、すすぎ、脱水、乾燥あるいは除菌・消臭などの一連の工程を逐次制御する制御手段とを備え、前記制御手段は、除菌・消臭工程において、前記送風ファン、前記オゾン発生手段、および前記ミスト発生手段を適時に駆動させて、前記ドラム内の衣類等に対してオゾンと微粒子水を放出する構成としたものである。
【００１４】
これにより、衣類、小物などを収容したドラム内の湿度を上昇させた環境で、衣類、小物などに付着した雑菌、有機物に対してオゾンを作用させることができるので、オゾンによる酸化反応が効率よく進行し、除菌・消臭作用を効率よく確実に行うことができる。
【発明の効果】
【００１５】
本発明の洗濯乾燥機は、オゾンと共に微粒子水をドラム内の衣類などに対して放出することにより、除菌・消臭効果のムラを無くすことが可能となり、最適な時間で安定した除菌・消臭効果を得ることができる。
【図面の簡単な説明】
【００１６】
【図１】本発明の実施の形態における洗濯乾燥機の断面図
【図２】同洗濯乾燥機内部の後面図
【図３】（ａ）同洗濯乾燥機の除菌・消臭標準工程のフローチャート（ｂ）同洗濯乾燥機の除菌・消臭しっかり工程のフローチャート
【図４】（ａ）同洗濯乾燥機の除菌・消臭標準工程のシーケンスを示す図（ｂ）同洗濯乾燥機の除菌・消臭しっかり工程のシーケンスを示す図
【図５】従来の洗濯乾燥機の除菌・消臭コースのフローチャート
【図６】同洗濯乾燥機の除菌・消臭コースのシーケンスを示す図
【発明を実施するための形態】
【００１７】
第１の発明は、有底円筒状に形成されたドラムと、前記ドラムを回転自在に内包する外槽と、前記ドラムを回転駆動するモータと、前記ドラム内に供給する乾燥用空気を生成するヒートポンプユニットと、前記外槽と前記ヒートポンプユニットを連結して乾燥用空気を循環させる循環送風経路と、前記循環送風経路内に送風する送風ファンと、前記循環送
風経路内にオゾンを供給するオゾン発生手段と、前記循環送風経路内に微粒子水を供給するミスト発生手段と、前記モータ、前記ヒートポンプユニット、前記送風ファン、前記オゾン発生手段および前記ミスト発生手段などを制御し、洗い、すすぎ、脱水、乾燥あるいは除菌・消臭などの一連の工程を逐次制御する制御手段とを備え、前記制御手段は、除菌・消臭工程において、前記送風ファン、前記オゾン発生手段、および前記ミスト発生手段を適時に駆動させて、前記ドラム内の衣類等に対してオゾンと微粒子水を放出する構成としたことにより、衣類、小物などを収容したドラム内の湿度を上昇させた環境で、衣類、小物などに付着した雑菌、有機物に対してオゾンを作用させることができるので、オゾンによる酸化反応が効率よく進行し、除菌・消臭作用を効率よく確実に行うことができる。
【００１８】
第２の発明は、特に、第１の発明の制御手段は、除菌・消臭工程において、送風ファン、オゾン発生手段、ミスト発生手段、およびヒートポンプユニットを適時に駆動させることにより、ドラム内の衣類などを高温状態にして、前記ドラム内にオゾンと微粒子水を放出する構成としたことにより、衣類、小物などを収容したドラム内の温度、湿度を上昇させた環境で、衣類、小物などに付着した雑菌、有機物に対してオゾンを作用させることができるので、オゾンによる酸化反応がより効率よく進行し、除菌・消臭作用を効率よく確実に行うことができる。
【００１９】
第３の発明は、特に第１または第２の発明のミスト発生手段は、循環送風経路において、オゾン発生手段の下流側に配置する構成としたことにより、高濃度の微粒子水がオゾン発生手段の、例えば放電部に付着してオゾン発生効率の低下を防止することができるので、除菌・消臭工程が連続で利用されても、除菌・消臭作用が低下することを防止できる。
【００２０】
以下、発明の実施の形態について、図面を参照しながら説明する。また、この実施の形態によって本発明が限定されるものではない。
【００２１】
（実施の形態１）
図１は、本発明の実施の形態における洗濯乾燥機の断面図、図２は、同洗濯乾燥機内部の後面図である。
【００２２】
図１、図２において、洗濯機本体１内には、図示しないサスペンション構造によって外槽３が宙吊り状態に弾性支持されている。外槽３内には、有底円筒状に形成されたドラム２が、その軸心方向を正面側から背面側に向けて下向きに傾斜させて支持されている。外槽３の正面側にはドラム２の開口端に通じる衣類出入口５が形成され、洗濯機本体１の正面側の上向き傾斜面に設けられた開口部を開閉可能に閉じる扉７を開くことにより、衣類出入口５を通じてドラム２内に対して洗濯物を出し入れすることができる。
【００２３】
ドラム２には、その周面に外槽３内に通じる多数の透孔６が形成され、内周面の複数位置に衣類攪拌用の攪拌突起（図示せず）が設けられている。このドラム２は、外槽３の背面側に取り付けられたモータ４によって、正転及び逆転方向に回転駆動される。また、外槽３には、注水管路１７及び排水管路１８が配管接続され、図示しない注水弁及び排水弁の制御によって外槽３内への注水及び排水がなされる。
【００２４】
扉７を開き、ドラム２内に洗濯物及び洗剤を投入して、洗濯機本体１の、例えば前面上部に設けられた操作パネル１６での操作により運転を開始させると、外槽３内には注水管路１７から所定量の注水がなされ、モータ４によりドラム２が回転駆動されて、洗い工程が開始される。ドラム２の回転により、ドラム２内に収容された洗濯物はドラム２の内周壁に設けられた攪拌突起によって回転方向に持ち上げられ、持ち上げられた適当な高さ位置から落下する攪拌動作が繰り返されるので、洗濯物には叩き洗いの作用が及んで洗いがなされる。
【００２５】
所要の洗濯時間の後、汚れた洗濯液は排水管路１８から排出され、ドラム２を高速回転させる脱水動作により洗濯物に含まれた洗濯液を脱水し、その後、外槽３内に注水管路１７から注水して、すすぎ工程が実施される。このすすぎ工程においてもドラム２内に収容された洗濯物は、ドラム２の回転により攪拌突起により持ち上げられて落下する攪拌動作が繰り返されて、すすぎ洗いが実施される。
【００２６】
また、この洗濯乾燥機には、ドラム２内に収容した洗濯物を乾燥する機能が設けられ、循環送風経路１１により、外槽３内の空気を排気して除湿し、加熱して乾燥させた空気を再び外槽３内に送風する。この循環送風経路１１の途中には、圧縮機、放熱器などの加熱手段、減圧器、蒸発器などの除湿手段を配管で連結したヒートポンプユニット１２、及び送風手段である送風ファン９が設けられている。この循環送風経路１１を利用した乾燥工程では、循環送風経路１１を循環される空気中に、主として衣類などの洗濯物から発生する糸くずなどの異物が混じって循環し、蒸発器や凝縮器の目詰まり、送風ファン９の回転部への噛み込み、送風ファン９の内面への堆積といった乾燥工程を実施するのに支障を来し易いので、循環送風経路１１の途中に、循環空気中の異物を除去するフィルター８が設けられている。
【００２７】
また、モータ４の背面には、モータ４の回転を検知するための回転検知部１９が設けられており、モータ４の回転数検知を行なうことにより、布量検知制御やドラム２の回転数制御を行なっている。また、洗濯機本体１の前部内面には、ドラム式洗濯機の動作を制御する制御手段（図示せず）を有する制御装置１５が設けられている。
【００２８】
また、この洗濯乾燥機には、ドラム２内に収容した洗濯物や小物などの除菌、消臭を行なう機能が設けられている。除菌、消臭のためにオゾンを発生させるオゾン発生手段１３は、循環送風経路１１の途中に設けられ、送風ファン９の動作により循環送風経路１１内に空気と共にオゾンを流動させ、吹出し口（図示せず）を通して、ドラム２内へ放出される。
【００２９】
また、循環送風経路１１の途中で、オゾン発生手段１３の下流側にはミスト発生手段１４が設けられ、送風ファン９の動作により循環送風経路１１内に空気と共に微粒子水（ミスト）を流動させ、吹出し口（図示せず）を通して、ドラム２内へ放出される。
【００３０】
図３（ａ）は、本発明の実施の形態における洗濯乾燥機の除菌・消臭標準工程のフローチャート、図３（ｂ）は、同洗濯乾燥機の除菌・消臭しっかり工程のフローチャートであり、図４（ａ）は、同洗濯乾燥機の除菌・消臭標準工程のシーケンスを示す図、図４（ｂ）は、同洗濯乾燥機の除菌・消臭しっかり工程のシーケンスを示す図である。
【００３１】
図３（ａ）、図４（ａ）の除菌・消臭標準工程において、操作パネル１６の操作により除菌・消臭標準工程が選択されスタートすると、送風ファン９が駆動（ステップＳ２１）し、同時にオゾン発生手段１３が駆動する（ステップＳ２２）。これにより、循環送風経路１１内に空気と共にオゾンが流動していって、ドラム２内に放出され、ドラム２内のオゾン濃度を上昇させる。そして、オゾン発生手段１３が５分間駆動すると（ステップＳ２３のＹ）、オゾン発生手段１３の運転を停止して（ステップＳ２４）、ミスト発生手段１４を駆動させる（ステップＳ２５）。これにより、循環送風経路１１内に空気と共に微粒子水が流動していって、ドラム２内に放出され、ドラム２内をオゾンが効率良く作用する除菌、消臭に適した環境にすることができる。
【００３２】
そして、５分間経過すると（ステップＳ２６のＹ）、ミスト発生手段１４の運転を停止する（ステップＳ２７）が、送風ファン９は継続して運転される。これにより、ドラム２
内の空気・微粒子水・オゾンが循環され、オゾンと衣類等との接触を効率よく行ない、除菌、消臭作用を促進することができる。送風ファン９は駆動開始から３０分が経過すると（ステップＳ２８のＹ）、駆動を停止して、除菌・消臭標準工程が終了する（ステップＳ２９）。
【００３３】
図３（ｂ）、図４（ｂ）の除菌・消臭しっかり工程において、操作パネル１６の操作により除菌・消臭標準工程が選択されスタートすると、送風ファン９が駆動（ステップＳ３１）し、同時にオゾン発生手段１３が駆動する（ステップＳ３２）。これにより、循環送風経路１１内に空気と共にオゾンが流動していって、ドラム２内に放出され、ドラム２内のオゾン濃度を上昇させる。そして、オゾン発生手段１３が５分間駆動すると（ステップＳ３３のＹ）、オゾン発生手段１３の運転を停止して（ステップＳ３４）、ミスト発生手段１４とヒートポンプユニット１２を同時に駆動させる（ステップＳ３５）。これにより、循環送風経路１１内に、ヒートポンプユニット１２の加熱手段で温められた空気と共に微粒子水が流動していって、ドラム２内に放出され、ドラム２内を高温・高湿度環境にして、オゾンの反応効率をより向上させることができる。
【００３４】
そして、５分間経過すると（ステップＳ３６のＹ）、ミスト発生手段１４とヒートポンプユニット１２の運転を停止する（ステップＳ３７）が、送風ファン９は継続して運転される。これにより、ドラム２内の空気・微粒子水・オゾンが循環され、オゾンと衣類等との接触を効率よく行ない、除菌、消臭作用を促進することができる。送風ファン９は駆動開始から３０分が経過すると（ステップＳ３８のＹ）、駆動を停止して、除菌・消臭しっかり工程が終了する（ステップＳ３９）。
【００３５】
なお、オゾン発生手段１３、ミスト発生手段１４の運転時間、どちらを先に運転する、あるいは同時に運転を開始するかの運転開始タイミングは、それぞれの性能および取付構造等によりあらかじめ決められるものであり、本実施の形態に限定されるものではない。
【００３６】
以上のように、本実施の形態においては、除菌・消臭標準工程において、送風ファン９、オゾン発生手段１３、およびミスト発生手段１４を適時に駆動させて、ドラム２内の衣類等に対してオゾンと微粒子水を放出する構成としたことにより、衣類、小物などを収容したドラム２内の湿度を上昇させた環境で、衣類、小物などに付着した雑菌、有機物に対してオゾンを作用させることができるので、オゾンによる酸化反応が効率よく進行し、除菌・消臭作用を効率よく確実に行うことができる。
【００３７】
また、除菌・消臭しっかり工程において、送風ファン９、オゾン発生手段１３、ミスト発生手段１４、およびヒートポンプユニット１２を適時に駆動させることにより、ドラム２内の衣類などを高温状態にして、ドラム２内にオゾンと微粒子水を放出する構成としたことにより、衣類、小物などを収容したドラム２内の温度、湿度を上昇させた環境で、衣類、小物などに付着した雑菌、有機物に対してオゾンを作用させることができるので、オゾンによる酸化反応がより効率よく進行し、除菌・消臭作用を効率よく確実に行うことができる。
【００３８】
また、ミスト発生手段１４は、循環送風経路１１において、オゾン発生手段１３の下流側に配置する構成としたことにより、高濃度の微粒子水がオゾン発生手段１３の、例えば放電部に付着してオゾン発生効率の低下を防止することができるので、除菌・消臭工程が連続で利用されても、除菌・消臭作用が低下することを防止できる。
【産業上の利用可能性】
【００３９】
以上のように、本発明にかかる洗濯乾燥機は、オゾンと共に微粒子水をドラム内の衣類などに対して放出することにより、除菌・消臭効果のムラを無くすことが可能となり、最
適な時間で安定した除菌・消臭効果を得ることができるので、除菌・消臭機能を有する他の洗濯機や衣類乾燥機などの用途に適用できる。
【符号の説明】
【００４０】
２  ドラム
３  外槽
４  モータ
９  送風ファン
１１  循環送風経路
１２  ヒートポンプユニット
１３  オゾン発生手段
１４  ミスト発生手段
【図１】
2015054156.tif 000003
【図２】
2015054156.tif 000004
【図３】
2015054156.tif 000005
【図４】
2015054156.tif 000006
【図５】
2015054156.tif 000007
【図６】
2015054156.tif 000008